(57)【要約】【課題】端子圧着装置に於ける圧着作業に支障を与えることなく、適切にキャリアを切断できるようにして、圧着不良の発生を低減させる。【解決手段】端子圧着装置１のアンビル６から排出されたキャリアＣを切断すべく、一対の切断刃２１、２２を有して前記端子圧着装置１の側方に配されるキャリアカット装置であって、前記一対の切断刃２１、２２は相互に接近してキャリアＣを切断するように構成されると共に、該キャリアＣの切断位置が、前記アンビル６上に配されたキャリアＣの略延長線上に配置されてなる。【選択図】図１
2010049966.tif 000002
【特許請求の範囲】
【請求項１】
端子圧着装置のアンビルから排出されたキャリアを切断すべく、一対の切断刃を有して前記端子圧着装置の側方に配されるキャリアカット装置であって、
前記一対の切断刃は相互に接近してキャリアを切断するように構成されると共に、該キャリアの切断位置が、前記アンビル上に配されたキャリアの略延長線上に配置されてなることを特徴とするキャリアカット装置。
【請求項２】
前記切断刃によるキャリアの切断位置がアンビルの側方近傍位置に配されてなる請求項１記載のキャリアカット装置。
【請求項３】
前記切断刃によるキャリアの切断位置が調整可能に構成されてなる請求項１又は２記載のキャリアカット装置。
【発明の詳細な説明】
【技術分野】
【０００１】
本発明は、電線のストリップ部に端子を圧着する端子圧着装置に於いて、圧着後の使用済キャリアを切断処理するためのキャリアカット装置に関するものである。
【背景技術】
【０００２】
従来、この種のキャリアカット装置としては、例えば次のようなものが存在する。即ち、この従来のものは、対向配置される一対の可動刃及び固定刃を有しており、電線のストリップ部に端子を圧着する端子圧着装置の側方に配置されている。
【０００３】
これによると、端子圧着装置のクリンパとアンビルによる圧着作業が完了した使用済キャリアは、案内部材を介して下方に搬送されてキャリアカット装置に供給される。その後、可動刃が固定刃側へと移動して、キャリアはこれらの両刃により所定長さに切断される（特許文献１参照）。
【特許文献１】実開平６−８０２９１号公報
【発明の開示】
【発明が解決しようとする課題】
【０００４】
一般に、この種のキャリアカット装置にあっては、キャリアと各刃との接触を回避して、切断作業に支障が生じないように、両刃の間隔は十分に確保される。
【０００５】
しかしながら、上記従来のキャリアカット装置に於いては、可動刃のみを固定刃側へ移動させてキャリアを切断するものであるために、かかる切断時に於いてキャリアが可動刃により押圧されて撓みが生じる。これにより、圧着処理前の連鎖端子がアンビル上で浮き上がって、ゆがみやズレが発生してしまう。これが、端子の圧着作業に支障を与えるために、不良品を多数発生させる等、十分な品質を確保できないという問題点を有していたのである。
【０００６】
それ故に、本発明はかかる点に鑑みてなされたものであり、その目的とするところは、端子圧着装置に於ける圧着作業に支障を与えることなく、適切にキャリアを切断できるようにして、圧着不良の発生を低減させることにある。
【課題を解決するための手段】
【０００７】
本発明に係るキャリアカット装置は、端子圧着装置のアンビルから排出されたキャリアを切断すべく、一対の切断刃を有して前記端子圧着装置の側方に配されるキャリアカット装置であって、前記一対の切断刃は相互に接近してキャリアを切断するように構成されると共に、該キャリアの切断位置が、前記アンビル上に配されたキャリアの略延長線上に配置されてなるものである。
【０００８】
これによると、端子圧着装置のアンビルから排出された使用済キャリアは、キャリアカット装置に搬送されて一対の切断刃により切断される。
【０００９】
この場合、一対の切断刃を接近させてキャリアを切断すると共に、キャリアの切断位置を、アンビル上に配されたキャリアの略延長線上に配置しているので、切断刃によってキャリアが切断されても、アンビル上に配された連鎖端子が浮き上がるようなことはなく、歪みやズレが生じることもない。よって、端子の圧着作業に支障を与えることなく、端子を電線のストリップ部に良好に圧着させることが可能となる。
【００１０】
また、切断刃の間隔を十分に確保することが可能となるために、キャリアと各切断刃との不用意な接触を適切に回避することができる。よって、一連の圧着及び切断作業が良好に行えることとなる。
【００１１】
更に、前記切断刃によるキャリアの切断位置を、アンビルの側方近傍位置に配することも可能である。
【００１２】
これによると、アンビルから排出された不要なキャリアを引き回すことなく、該アンビルの側方近傍位置で早期に短く切断することができる。よって、キャリアカット装置もコンパクトに製作することが可能となる。
【００１３】
また、前記切断刃によるキャリアの切断位置を調整可能に構成することもできる。
【００１４】
これによると、切断刃によるキャリアの切断位置を適宜調整することにより、該切断位置をアンビル上に配されたキャリアの延長線上に配置することが可能となる。よって、種々の端子圧着装置に対して幅広く対応することができる。
【００１５】
更に、本発明に係るキャリアカット装置は全体の構成が非常に簡易であるために、その製作も容易に且つ安価に行える。
【発明の効果】
【００１６】
以上のように、本発明によれば、端子圧着装置に於ける圧着作業に支障を与えることなく、適切にキャリアを切断できる結果、圧着不良の発生を低減させて、品質の向上を図ることが可能になる。
【発明を実施するための最良の形態】
【００１７】
以下、本発明の一実施形態について図面に従って説明する。図１及び図２は本実施形態に係る端子圧着装置及びキャリアカット装置を示し、（ａ）は正面図、（ｂ）は側面図である。先ず、端子圧着装置１について説明すると、かかる端子圧着装置１は電線のストリップ部に端子ｔを圧着するアップリケータ２と、該アップリケータ２に圧着処理前の連鎖端子Ｔを搬送供給すると共に、使用済キャリアＣを外部に排出する搬送部３とを備えている。
【００１８】
アップリケータ２は、油圧シリンダ等によりラム（図示せず）を介して上下方向に昇降するクリンパ４と、該クリンパ４に対向させて基台５上に設けられたアンビル６とを有している。
【００１９】
搬送部３は、連鎖端子Ｔの端子ｔに係脱可能な送り爪７を先端に有して、油圧シリンダ等により揺動されるリンク８と、連鎖端子Ｔの搬送路に沿って搬送台９上に設けられた端子ガイド１０とを備えている。前記ラムの上昇動作に連動してリンク８が揺動し、その送り爪７により連鎖端子Ｔが端子ガイド１０に沿って１ピッチ分だけアップリケータ２側へ搬送されるように構成されている。
【００２０】
一方、キャリアカット装置２０は端子圧着装置１と別体であり、前記アップリケータ２の側方に配置されている。尚、別体とは、例えば、別々にユニット化されていること、駆動源が別々であること、それぞれ独立して動作可能であること、等をいう。かかるキャリアカット装置２０は、使用済キャリアＣを切断するための一対の切断刃２１、２２と、該切断刃２１、２２を駆動するための駆動部２３とを有している。切断刃２１、２２は側面略Ｌの字状のアーム２４、２５の先端部に、相互に刃先が対向するように設けられている。該切断刃２１、２２によるキャリアＣの切断位置は、図３に示すように前記アンビル６の側方近傍位置で、且つ該アンビル６上に配されるキャリアＣの略延長線上に配置されるように設定されている。本実施形態では、切断刃２１、２２とキャリアＣ間の間隔を夫々１．５ｍｍに、アンビル６と切断刃２１、２２による切断位置の間隔を１５ｍｍに設定している。また、キャリアＣの肉厚は０．５ｍｍであり、１〜１０個程度の端子ｔが圧着された時点でキャリアＣを切断するようにしている。但し、本発明にいう「近傍位置」とは、決してこれに限定されるものではない。例えば、キャリアＣの切断位置とアンビル６の間隔は、端子ｔの大きさや形状等に応じて適宜変更されるものである。また、その他の設定寸法もこれに限定されない。
【００２１】
駆動部２３は、駆動源としてのエアシリンダ２６と、そのロッド２７の先端に回動自在に連結された連結杆２８とからなっている。連結杆２８は支軸２９を中心として上下に揺動する。前記各アーム２４、２５の下端部は支軸２８を中心として前後に等間隔離れた連結杆２８の各部位に回動自在に取着されている。尚、キャリアカット装置２０は切断後のキャリアＣの飛散を防止するためのカバー２９を有している。また、本実施形態に係るキャリアカット装置２０は、圧着されることなく端子ｔが残存したキャリアＣも切断可能である。
【００２２】
本実施形態は以上のように構成されている。次に、かかるキャリアカット装置２０を使用して端子圧着装置１から排出された使用済キャリアＣを切断する場合について説明する。
【００２３】
先ず、端子圧着装置１の搬送部３に連鎖端子Ｔが供給されると、ラムの上昇動作に連動してリンク８が揺動し、送り爪７が連鎖端子Ｔの端子ｔに係合する。そして、この状態で送り爪７により連鎖端子Ｔが端子ガイド１０に沿って１ピッチ分だけ前方に搬送される。これにより、連鎖端子Ｔの端子ｔがアップリケータ２のアンビル６上に配される。
【００２４】
次に、ラムが下降してクリンパ４によりアンビル６上に配された端子ｔが電線のストリップ部に圧着される。その後、ラムの上昇に伴い、上述したと同様にして連鎖端子Ｔがまた前方に１ピッチ分搬送されて、圧着作業が連続して行われることになる。
【００２５】
一方、圧着後の使用済キャリアＣは前記アンビル６から前方に送られて、キャリアカット装置２０に排出される。使用済キャリアＣが所定の長さになると、エアシリンダ２６が駆動されて、図２に示すようにそのロッド２７は下降する。これにより、連結杆２８が支軸２８を中心にして回動し、図３（ａ）及び（ｂ）に示すように各アーム２４、２５を介して切断刃２１、２２が相互に接近し、同図（ｃ）のようにキャリアＣが所定長さで切断される。尚、切断後のキャリアＣはカバー２９内を下方に落下する。
【００２６】
この場合、切断刃２１、２２による切断位置をアンビル６の側方近傍位置とし、且つ該切断位置がアンビル６上に配されるキャリアＣの延長線上に配置されるように、両切断刃２１、２２を相互に接近移動させている。従って、切断刃２１、２２によりキャリアＣを切断しても、アンビル６上にセットされた連鎖端子Ｔが浮き上がるようなことはなく、歪みやズレが生じることもない。よって、端子ｔの圧着作業に支障を与えることなく、端子ｔを電線のストリップ部に良好に圧着させることができる。その結果、圧着不良という事態を回避できて、良好な品質を維持することが可能となる。
【００２７】
また、本実施形態に係るキャリアカット装置２０は全体の構成が非常に簡易であるために、その製作も容易に且つ安価に行えるという利点がある。
【００２８】
尚、上記実施形態に於いては、エアシリンダ２６により一対の切断刃２１、２２を同時に接近させてキャリアＣを切断するようにしたが、例えば別の駆動源で切断刃２１、２２を個々に駆動することもできる。このようにすると、時間差を設けて各切断刃２１、２２を動作させることが可能となるのである。
【００２９】
また、切断刃２１、２２によるキャリアＣの切断位置を調整できるように構成してもよい。このように構成すれば、切断位置を常時アンビル６上に配されたキャリアＣの延長線上に配置することが可能となる。これにより、種々の端子圧着装置１に対して幅広く対応することができる。尚、切断位置の調整手段としては、例えば上述したように各切断刃２１、２２に時間差を設けて動作させたり、連結杆２８に対する各アーム２４、２５の取付位置を変更させる等の手段が挙げられる。また、キャリアカット装置２０を端子圧着装置１の側部に一体的に取付けるように構成し、その取付位置を調整することにより前記切断位置を調整することも可能である。
【００３０】
その他、キャリアカット装置２０の形状等の各部の具体的な構成も、本発明の意図する範囲内に於いて任意に設計変更自在である。
【産業上の利用可能性】
【００３１】
以上説明したように、本発明は、使用済キャリアを切断処理するキャリアカット装置に於いて有用である。
【図面の簡単な説明】
【００３２】
【図１】実施形態に係る端子圧着装置及びキャリアカット装置を示し、（ａ）は正面図、（ｂ）は側面図である。
【図２】同端子圧着装置及びキャリアカット装置を示し、（ａ）は正面図、（ｂ）は側面図である。
【図３】同キャリアカット装置の切断刃によるキャリアの切断状態を示し、（ａ）乃至（ｃ）は正面図である。
【符号の説明】
【００３３】
１        端子圧着装置
６        アンビル
２０        キャリアカット装置
２１        切断刃
２２        切断刃
Ｃ        キャリア
【図１】
2010049966.tif 000003
【図２】
2010049966.tif 000004
【図３】
2010049966.tif 000005